【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
ネットワークを介して他の情報処理装置から受信した動画データを表示装置に表示する情報処理装置であって、
前記他の情報処理装置から動画データを受信する受信手段と、
前記受信手段で受信する前記動画データを通信状態に応じて決定する決定手段と、
前記他の情報処理装置から静止画データを取得して記憶手段に記憶させる記憶手段と、
１つ以上の領域を備えた画面を生成し、前記決定手段により決定された前記動画データを前記画面の前記領域に表示する表示処理手段と、を有し、
前記表示処理手段は、前記決定手段により決定された前記動画データの数が前記領域の数よりも少ない場合、前記記憶手段に記憶されている前記静止画データを前記領域に表示する情報処理装置。
【請求項２】
さらに、前記静止画データを記憶する記憶手段を有し、
前記記憶手段は、前記受信手段が前記動画データを受信していない前記他の情報処理装置から受信した前記静止画データを前記記憶手段に記憶させ、
前記表示処理手段は前記動画データを送信していなかった前記他の情報処理装置から受信した前記静止画データを受信しない前記動画データの代わりに前記領域に表示する請求項１に記載の情報処理装置。
【請求項３】
前記表示処理手段は、前記他の情報処理装置が送信する前記動画データの優先度が登録された優先度情報に基づき、前記優先度が高い順に前記領域の数だけ前記動画データ又は前記静止画データを前記領域に表示するものであり、
前記受信手段が受信していない前記動画データの前記優先度が、前記領域に表示される以上の前記優先度に変更された場合、
前記表示処理手段は、前記動画データを送信していなかった前記他の情報処理装置から前記記憶手段が受信した前記静止画データを前記優先度に応じた前記領域に表示する請求項２に記載の情報処理装置。
【請求項４】
前記記憶手段は、所定時間が経過するごとに前記他の情報処理装置から受信した前記静止画データを前記記憶手段に記憶させ、
前記記憶手段に記憶された他の情報処理装置から受信した前記静止画データが前記領域に表示されている場合、前記表示処理手段は、前記領域に表示されている前記静止画データを前記記憶手段に記憶される最新の前記静止画データに更新する請求項１〜３のいずれか１項に記載の情報処理装置。
【請求項５】
前記受信手段は、前記優先度が閾値以上の第一動画データの受信状態が悪化した場合、前記優先度が閾値未満の第二動画データの受信を休止させる請求項３に記載の情報処理装置。
【請求項６】
前記表示処理手段は、前記第二動画データの受信を休止させられても前記領域の数を変更せず、前記優先度の高い順に前記動画データ又は前記静止画データを前記領域に表示する請求項５に記載の情報処理装置。
【請求項７】
前記受信手段は、前記第二動画データの受信を休止させた前記優先度が閾値以上の前記第一動画データの識別情報を前記第二動画データに対応づけて前記優先度情報に記録し、
前記第一動画データの受信状態が良好である場合、前記第二動画データの受信を再開する請求項５又は６に記載の情報処理装置。
【請求項８】
ネットワークを介して他の情報処理装置から受信した動画データを表示装置に表示する情報処理装置の画像表示方法であって、
受信手段が、前記他の情報処理装置から動画データを受信する受信ステップと、
決定手段が、前記受信手段で受信する前記動画データを通信状態に応じて決定するステップと、
記憶手段が、前記他の情報処理装置から静止画データを取得して記憶手段に記憶させるステップと、
表示処理手段が、１つ以上の領域を備えた画面を生成し、前記決定手段により決定された前記動画データを前記画面の前記領域に表示するステップと、
前記表示処理手段が、前記決定手段により決定された前記動画データの数が前記領域の数よりも少ない場合、前記記憶手段に記憶されている前記静止画データを前記領域に表示するステップと、を有する画像表示方法。
【請求項９】
ネットワークを介して他の情報処理装置から受信した動画データを表示装置に表示する情報処理装置を、
前記他の情報処理装置から動画データを受信する受信手段と、
前記受信手段が受信する前記動画データを通信状態に応じて決定する決定手段と、
前記他の情報処理装置から静止画データを取得して記憶手段に記憶させる記憶手段と、
１つ以上の領域を備えた画面を生成し、前記決定手段により決定された前記動画データを前記画面の前記領域に表示する表示処理手段として機能させるためのプログラムであって、
前記表示処理手段は、前記決定手段により決定された前記動画データの数が前記領域の数よりも少ない場合、前記記憶手段に記憶されている前記静止画データを前記領域に表示するプログラム。
【請求項１０】
ネットワークを介して他の情報処理装置から受信した動画データを一方の情報処理装置が表示装置に表示する通信システムであって、
前記他の情報処理装置から動画データを受信する受信手段と、
前記受信手段で受信する前記動画データを通信状態に応じて決定する決定手段と、
前記他の情報処理装置から静止画データを取得して記憶手段に記憶させる記憶手段と、
１つ以上の領域を備えた画面を生成し、前記決定手段により決定された前記動画データを前記画面の前記領域に表示する表示処理手段と、を有し、
前記表示処理手段は、前記決定手段により決定された前記動画データの数が前記領域の数よりも少ない場合、前記記憶手段に記憶されている前記静止画データを前記領域に表示する通信システム。
【請求項１１】
ネットワークを介して他の情報処理装置から受信した画像データを表示する情報処理装置であって、
前記ネットワークの通信状態に基づき、前記他の情報処理装置から動画データと前記動画データの静止画データを受信する受信手段と、
１つ以上の領域を備えた画面を生成し、前記ネットワークの通信状態に基づいて、受信した前記動画データを前記画面の前記領域に表示すると共に、前記動画データの数が前記領域の数よりも少ない場合、前記静止画データを前記領域に表示する表示処理手段と、
を有する情報処理装置。
【請求項１２】
ネットワークを介して他の情報処理装置から受信した画像データを表示する情報処理装置の画像表示方法であって、
受信手段が、前記ネットワークの通信状態に基づき、前記他の情報処理装置から動画データと前記動画データの静止画データを受信するステップと、
表示処理手段が、１つ以上の領域を備えた画面を生成し、前記ネットワークの通信状態に基づいて、受信した前記動画データを前記画面の前記領域に表示すると共に、前記動画データの数が前記領域の数よりも少ない場合、前記静止画データを前記領域に表示するステップと、
を有する画像表示方法。
【手続補正２】
【補正対象書類名】明細書
【補正対象項目名】０００８
【補正方法】変更
【補正の内容】
【０００８】
上記課題に鑑み、本発明は、ネットワークを介して他の情報処理装置から受信した動画データを表示装置に表示する情報処理装置であって、前記他の情報処理装置から動画データを受信する受信手段と、前記受信手段で受信する前記動画データを通信状態に応じて決定する決定手段と、前記他の情報処理装置から静止画データを取得して記憶手段に記憶させる記憶手段と、１つ以上の領域を備えた画面を生成し、前記決定手段により決定された前記動画データを前記画面の前記領域に表示する表示処理手段と、を有し、前記表示処理手段は、前記決定手段により決定された前記動画データの数が前記領域の数よりも少ない場合、前記記憶手段に記憶されている前記静止画データを前記領域に表示する。